(57)【要約】【課題】ページ切替操作に対する応答性の低下を抑制しつつ、プレビュー画像を記憶するために必要となる記憶容量を小さくすることが可能な画像処理装置及びプレビュー表示方法を提供すること。【解決手段】ページ切替部１６３は、プレビュー画面Ｐ１にプレビュー画像Ｇ１として表示されるページをユーザー操作に応じて切り替える。プレビュー画像生成部１６４は、プレビュー画面Ｐ１にプレビュー画像Ｇ１として現在表示されていない非表示中ページのうちの予め定められた特定条件を満たす一又は複数の特定ページのプレビュー画像Ｇ１を作成してＲＡＭ１６１に記憶する。プレビュー画像削除部１６５は、前記非表示中ページのうちの前記特定ページ以外のページのプレビュー画像Ｇ１をＲＡＭ１６１から削除する。【選択図】図５
2018067841.tif 000002
【特許請求の範囲】
【請求項１】
複数のページからなる画像データの少なくとも一部のページのプレビュー画像を示すプレビュー画面を表示部に表示する表示制御部と、
前記プレビュー画面に前記プレビュー画像として表示されるページをユーザー操作に応じて切り替えるページ切替部と、
前記プレビュー画面に前記プレビュー画像として現在表示されていない非表示中ページのうちの予め定められた特定条件を満たす一又は複数の特定ページのプレビュー画像を作成して記憶部に記憶するプレビュー画像生成部と、
前記非表示中ページのうちの前記特定ページ以外のページのプレビュー画像を前記記憶部から削除するプレビュー画像削除部と、
を備える画像処理装置。
【請求項２】
前記特定条件が、前記ページ切替部により次に前記プレビュー画面に前記プレビュー画像として表示され得るページであることである、
請求項１に記載の画像処理装置。
【請求項３】
前記特定ページが、前記画像データの先頭ページを含む、
請求項１又は請求項２に記載の画像処理装置。
【請求項４】
前記特定ページが、前記プレビュー画面に前記プレビュー画像として現在表示されているページの直前の予め定められた数のページを含む、
請求項１〜３のいずれかに記載の画像処理装置。
【請求項５】
前記特定ページが、前記プレビュー画面に前記プレビュー画像として現在表示されているページの直後の予め定められた数のページを含む、
請求項１〜４のいずれかに記載の画像処理装置。
【請求項６】
前記特定ページが、前記画像データの最終ページを含む、
請求項１〜５のいずれかに記載の画像処理装置。
【請求項７】
前記プレビュー画面に前記プレビュー画面として一度表示されたページは、前記特定ページから除外される、
請求項１〜６のいずれかに記載の画像処理装置。
【請求項８】
前記特定条件をユーザー操作に応じて設定するプレビュー設定部を更に備える、
請求項１〜７のいずれかに記載の画像処理装置。
【請求項９】
複数のページからなる画像データの少なくとも一部のページのプレビュー画像を示すプレビュー画面を表示部に表示する表示制御ステップと、
前記プレビュー画面に前記プレビュー画像として表示されるページをユーザー操作に応じて切り替えるページ切替ステップと、
前記プレビュー画面に前記プレビュー画像として現在表示されていない非表示中ページのうちの予め定められた特定条件を満たす一又は複数の特定ページのプレビュー画像を作成して記憶部に記憶するプレビュー画像作成ステップと、
前記非表示中ページのうちの前記特定ページ以外のページのプレビュー画像を前記記憶部から削除するプレビュー画像削除ステップと、
を含むプレビュー表示方法。
【発明の詳細な説明】
【技術分野】
【０００１】
本発明は、画像処理装置及びプレビュー表示方法に関する。
【背景技術】
【０００２】
画像読取部を備える画像処理装置において、前記画像読取部により読み取られた原稿の画像をユーザーが操作表示部の画面上で確認することができるように、前記画像を縮小したプレビュー画像が前記操作表示部に表示されることがある（例えば、特許文献１参照）。
【先行技術文献】
【特許文献】
【０００３】
【特許文献１】特開２０１１−２２９１８１号公報
【発明の概要】
【発明が解決しようとする課題】
【０００４】
ところで、前記画像読取部により読み取られる原稿のページ数が多い場合には、当該原稿の画像に基づいて生成される前記プレビュー画像のページ数も多くなるため、前記プレビュー画像を記憶するために大きな記憶容量が必要となる。
【０００５】
そこで、前記プレビュー画像を記憶するために必要となる記憶容量を小さくするために、前記プレビュー画像として表示されるページを切り替えるページ切替操作が行われたときに、その都度、前記プレビュー画像を生成することが考えられる。しかしながら、この場合には、前記ページ切替操作が行われてから前記プレビュー画像が生成されるまで前記プレビュー画像を表示することができないので、前記ページ切替操作に対する応答性が低下してしまう。
【０００６】
本発明の目的は、ページ切替操作に対する応答性の低下を抑制しつつ、プレビュー画像を記憶するために必要となる記憶容量を小さくすることが可能な画像処理装置及びプレビュー表示方法を提供することにある。
【課題を解決するための手段】
【０００７】
本発明の一の局面に係る画像処理装置は、表示制御部と、ページ切替部と、プレビュー画像生成部と、プレビュー画像削除部と、を備える。前記表示制御部は、複数のページからなる画像データの少なくとも一部のページのプレビュー画像を示すプレビュー画面を表示部に表示する。前記ページ切替部は、前記プレビュー画面に前記プレビュー画像として表示されるページをユーザー操作に応じて切り替える。前記プレビュー画像生成部は、前記プレビュー画面に前記プレビュー画像として現在表示されていない非表示中ページのうちの予め定められた特定条件を満たす一又は複数の特定ページのプレビュー画像を作成して記憶部に記憶する。前記プレビュー画像削除部は、前記非表示中ページのうちの前記特定ページ以外のページのプレビュー画像を前記記憶部から削除する。
【０００８】
本発明の他の局面に係るプレビュー表示方法は、表示制御ステップと、ページ切替ステップと、プレビュー画像作成ステップと、プレビュー画像削除ステップと、を含む。前記表示制御ステップでは、複数のページからなる画像データの少なくとも一部のページのプレビュー画像を示すプレビュー画面が表示部に表示される。前記ページ切替ステップでは、前記プレビュー画面に前記プレビュー画像として表示されるページがユーザー操作に応じて切り替えられる。前記プレビュー画像作成ステップでは、前記プレビュー画面に前記プレビュー画像として現在表示されていない非表示中ページのうちの予め定められた特定条件を満たす一又は複数の特定ページのプレビュー画像が作成されて記憶部に記憶される。前記プレビュー画像削除ステップでは、前記非表示中ページのうちの前記特定ページ以外のページのプレビュー画像が前記記憶部から削除される。
【発明の効果】
【０００９】
本発明によれば、ページ切替操作に対する応答性の低下を抑制しつつ、プレビュー画像を記憶するために必要となる記憶容量を小さくすることが可能な画像処理装置及びプレビュー表示方法が提供される。
【図面の簡単な説明】
【００１０】
【図１】図１は、本発明の実施形態に係る画像処理装置のシステム構成を示すブロック図である。
【図２】図２は、本発明の実施形態に係る画像処理装置で表示されるプレビュー画面の一例を示す図である。
【図３】図３は、本発明の実施形態に係る画像処理装置における現在ページと特定ページとの対応関係の一例を示す図である。
【図４】図４は、本発明の実施形態に係る画像処理装置で表示されるプレビュー設定画面の一例を示す図である。
【図５】図５は、本発明の実施形態に係る画像処理装置で実行されるプレビュー表示処理の手順の一例を示すフローチャートである。
【図６】図６は、本発明の実施形態に係る画像処理装置で表示されるプレビュー画面の変形例を示す図である。
【発明を実施するための形態】
【００１１】
以下添付図面を参照しながら、本発明の実施形態について説明し、本発明の理解に供する。なお、以下の実施形態は、本発明を具体化した一例であって、本発明の技術的範囲を限定するものではない。
【００１２】
［画像処理装置の構成］
図１に示されるように、本発明の実施形態に係る画像処理装置１は、操作表示部１０、ＡＤＦ（Auto Document Feeder）１１、画像読取部１２、画像形成部１３、通信Ｉ／Ｆ１４、及び制御部１６などを備える。具体的に、画像処理装置１は、プリンター機能、スキャナー機能、コピー機能、及びファクシミリ機能などを有する複合機である。なお、本発明は、複合機に限らず、プリンター、スキャナー、コピー機、ファクシミリ装置のような任意の画像処理装置に適用可能である。
【００１３】
操作表示部１０は、情報を表示する液晶ディスプレーなどの表示部と、ユーザー操作を受け付けるタッチパネル及び操作ボタンなどの操作部とを備える。
【００１４】
ＡＤＦ１１は、原稿セット部、搬送ローラー、原稿押さえ、及び排紙部を備え、画像読取部１２の読み取り対象となる原稿を搬送する自動原稿搬送装置である。
【００１５】
画像読取部１２は、原稿台、光源、ミラー、光学レンズ、及びＣＣＤ（Charge Coupled Device）を備え、原稿の画像を読み取って画像データとして出力することが可能である。
【００１６】
画像形成部１３は、電子写真方式又はインクジェット方式で画像データに基づく印刷処理を実行することが可能であり、前記画像データに基づいてシート上に画像を形成する。例えば、画像形成部１３が電子写真方式の画像形成部である場合、画像形成部１３は感光体ドラム、帯電器、露光装置、現像装置、転写装置、及び定着装置などを備える。
【００１７】
通信Ｉ／Ｆ１４は、電話回線、インターネット、又はＬＡＮなどの通信網を介して、外部のファクシミリ装置又はパーソナルコンピューターなどの情報処理装置との間で所定の通信プロトコルに従った通信処理を実行することが可能な通信インターフェイスである。
【００１８】
制御部１６は、ＣＰＵ（不図示）、ＲＯＭ（不図示）、及びＲＡＭ１６１（本発明の「記憶部」の一例）などの制御機器を備える。前記ＣＰＵは、各種の演算処理を実行するプロセッサーである。前記ＲＯＭは、前記ＣＰＵに各種の処理を実行させるための制御プログラムなどの情報が予め記憶される不揮発性の記憶部である。ＲＡＭ１６１は、前記ＣＰＵが実行する各種の処理の一時記憶メモリー（作業領域）として使用される揮発性又は不揮発性の記憶部である。
【００１９】
具体的に、制御部１６は、表示制御部１６２、ページ切替部１６３、プレビュー画像生成部１６４、プレビュー画像削除部１６５、及びプレビュー設定部１６６を含む。なお、制御部１６は、前記制御プログラムに従って各種の処理を実行することによりこれらの各処理部として機能する。また、制御部１６は、これらの各処理部の一部又は複数の処理機能を実現する電子回路を備えるものであってもよい。
【００２０】
表示制御部１６２は、複数のページからなる画像データの少なくとも一部のページのプレビュー画像Ｇ１を示すプレビュー画面Ｐ１を操作表示部１０に表示する。例えば、ＡＤＦ１１に複数ページの原稿がセットされて、画像読取部１２による前記原稿の画像の読み取り処理が行われると、前記複数ページ分の画像データが生成される。表示制御部１６２は、こうして生成された画像データに基づいて、例えば図２に示されるようなプレビュー画面Ｐ１を操作表示部１０に表示する。なお、図２に示されるプレビュー画面Ｐ１では、全１０ページのうちの第４ページのプレビュー画像Ｇ１が表示されている。
【００２１】
ページ切替部１６３は、プレビュー画面Ｐ１にプレビュー画像Ｇ１として表示されるページをユーザー操作（ページ切替操作）に応じて切り替える。例えば、図２に示されるプレビュー画面Ｐ１には、プレビュー画像Ｇ１として表示されるページを切り替えるための４つのページ切替キーＫ１〜Ｋ４が含まれる。ページ切替キーＫ１は、プレビュー画面Ｐ１にプレビュー画像Ｇ１として表示されるページを先頭ページ（すなわち第１ページ）に切り替えるためのキーである。ページ切替キーＫ２は、プレビュー画面Ｐ１にプレビュー画像Ｇ１として表示されるページを、現在表示中のページの１つ前のページ（図２に示される例では、第３ページ）に切り替えるためのキーである。ページ切替キーＫ３は、プレビュー画面Ｐ１にプレビュー画像Ｇ１として表示されるページを、現在表示中のページの次のページ（図２に示される例では、第５ページ）に切り替えるためのキーである。ページ切替キーＫ４は、プレビュー画面Ｐ１にプレビュー画像Ｇ１として表示されるページを最終ページ（図２に示される例では、第１０ページ）に切り替えるためのキーである。ページ切替キーＫ１〜Ｋ４のいずれかが操作されると、ページ切替部１６３は、プレビュー画面Ｐ１にプレビュー画像Ｇ１として表示されるページを、操作されたキーに対応するページに切り替える。
【００２２】
ところで、画像読取部１２により読み取られる原稿のページ数が多い場合には、当該原稿の画像に基づいて生成されるプレビュー画像Ｇ１のページ数も多くなるため、プレビュー画像Ｇ１を記憶するために大きな記憶容量が必要となる。そこで、プレビュー画像Ｇ１を記憶するために必要となる記憶容量を小さくするために、前記ページ切替操作が行われたときに、その都度、プレビュー画像Ｇ１を生成することが考えられる。しかしながら、この場合には、前記ページ切替操作が行われてからプレビュー画像Ｇ１が生成されるまでプレビュー画像Ｇ１を表示することができないので、前記ページ切替操作に対する応答性が低下してしまう。これに対して、本実施形態の画像処理装置１では、ページ切替操作に対する応答性の低下を抑制しつつ、プレビュー画像Ｇ１を記憶するために必要となる記憶容量を小さくすることが可能である。
【００２３】
プレビュー画像生成部１６４は、プレビュー画面Ｐ１にプレビュー画像Ｇ１として現在表示されていない非表示中ページのうちの予め定められた特定条件を満たす一又は複数の特定ページのプレビュー画像Ｇ１を生成してＲＡＭ１６１に記憶する。例えば、図２に示されるプレビュー画面Ｐ１が操作表示部１０に表示されている場合、プレビュー画面Ｐ１にプレビュー画像Ｇ１として現在表示されていない非表示中ページは、第１〜第３ページ、及び第５〜第１０ページである。この場合、プレビュー画像生成部１６４は、これらの非表示中ページのうちの前記特定条件を満たす一又は複数の前記特定ページのプレビュー画像Ｇ１を生成してＲＡＭ１６１に記憶する。
【００２４】
前記特定条件は、例えば、ページ切替部１６３により次にプレビュー画面Ｐ１にプレビュー画像Ｇ１として表示され得るページであってもよい。例えば、図２に示されるプレビュー画面Ｐ１が操作表示部１０に表示されている場合、ページ切替部１６３により次にプレビュー画面Ｐ１にプレビュー画像Ｇ１として表示され得るページは、ページ切替キーＫ１の操作に応じて表示される先頭ページ（第１ページ）、ページ切替キーＫ２の操作に応じて表示される第３ページ、ページ切替キーＫ３の操作に応じて表示される第５ページ、及びページ切替キーＫ４の操作に応じて表示される最終ページ（第１０ページ）の４つである。これにより、前記ページ切替操作が行われてから新たなプレビュー画像Ｇ１が表示されるまでの待ち時間が減り、ページ切替操作に対する応答性の低下が抑制される。
【００２５】
なお、前記特定ページは、プレビュー画面Ｐ１にプレビュー画像Ｇ１として現在表示されているページ（以下、「現在ページ」と称す）に応じて変化し得る。前記現在ページと前記特定ページとの対応関係の一例を図３に示す。例えば、図３に示される例では、前記現在ページが第１ページである場合には、前記特定ページは第２ページ及び第１０ページとなる。また、前記現在ページが第２ページである場合には、前記特定ページは第１ページ、第３ページ、及び第１０ページとなる。また、前記現在ページが第３ページである場合には、前記特定ページは第１ページ、第２ページ、第４ページ、及び第１０ページとなる。
【００２６】
プレビュー画像削除部１６５は、前記非表示中ページのうちの前記特定ページ以外のページのプレビュー画像Ｇ１をＲＡＭ１６１から削除する。例えば、図２に示されるプレビュー画面Ｐ１が操作表示部１０に表示されている状態では、前記現在ページである第４ページのプレビュー画像Ｇ１に加えて、前記特定ページである先頭ページ、第３ページ、第５ページ、及び最終ページのプレビュー画像Ｇ１がＲＡＭ１６１に記憶されている。この状態で、例えばページ切替キーＫ３が操作されると、前記現在ページが第４ページから第５ページに切り替わる。その結果、前記特定ページが、先頭ページ、第４ページ、第６ページ、及び最終ページに変化する。この場合、第３ページについては、もはや前記現在ページでも前記特定ページでもなくなったため、プレビュー画像削除部１６５は、当該第３ページのプレビュー画像Ｇ１をＲＡＭ１６１から削除する。これにより、当該第３ページのプレビュー画像Ｇ１が記憶されていたＲＡＭ１６１の記憶領域が開放される。そして、先頭ページ、第４ページ、及び最終ページのプレビュー画像Ｇ１についてはＲＡＭ１６１にすでに存在するので、プレビュー画像生成部１６４は、第６ページのプレビュー画像Ｇ１だけを作成してＲＡＭ１６１に新たに記憶すればよい。
【００２７】
このように、図３に示される前記特定条件の例では、前記原稿の画像データのページ数がどれだけ多くても、前記現在ページ、先頭ページ、１つ前のページ、次ページ、及び最終ページのせいぜい５ページ分のプレビュー画像Ｇ１がＲＡＭ１６１に保持されていればよい。したがって、プレビュー画像Ｇ１を記憶するために必要となる記憶容量を小さくすることが可能である。
【００２８】
プレビュー設定部１６６は、前記特定条件をユーザー操作に応じて設定することが可能である。例えば、プレビュー設定部１６６は、図４に示されるようなプレビュー設定画面Ｐ２を操作表示部１０に表示する。図４に示されるプレビュー設定画面Ｐ２にはデフォルトの前記特定条件が示されている。
【００２９】
図４に示されるプレビュー設定画面Ｐ２には、プレビュー画像Ｇ１をＲＡＭ１６１に保持すべきページ（すなわち、前記特定ページ）を指定するためのチェックボックスＣ１〜Ｃ４が含まれる。
【００３０】
チェックボックスＣ１にチェックを入れると、先頭ページを前記特定ページに含めることができる。これにより、図２に示されるプレビュー画面Ｐ１においてページ切替キーＫ１が操作されたときの応答性を高めることができる。一方、ページ切替キーＫ１を操作することがほとんどないユーザーであれば、チェックボックスＣ１からチェックを外すことにより、前記ページ切替操作に対する応答性の低下を抑制しつつ、プレビュー画像Ｇ１を記憶するために必要となる記憶容量をさらに小さくすることができる。
【００３１】
チェックボックスＣ２にチェックを入れると、前記現在ページの直前の所定のページ数のページを前記特定ページに含めることができる。図４に示されるプレビュー設定画面Ｐ２には、前記ページ数を指定するための入力欄Ｔ１が含まれている。例えば、チェックボックスＣ２にチェックが入れられており、入力欄Ｔ１に「２」が入力されている場合には、前記現在ページの直前の２ページが前記特定ページに含まれる。これにより、前記現在ページの直前の２ページ分のプレビュー画像Ｇ１がＲＡＭ１６１に保持されるため、例えば図２に示されるプレビュー画面Ｐ１においてページ切替キーＫ２が短時間で２回操作された場合でも、第２ページのプレビュー画像Ｇ１が表示されるまでの待ち時間を減らすことができる。
【００３２】
チェックボックスＣ３にチェックを入れると、前記現在ページの直後の所定のページ数のページを前記特定ページに含めることができる。図４に示されるプレビュー設定画面Ｐ２には、前記ページ数を指定するための入力欄Ｔ２が含まれている。例えば、チェックボックスＣ３にチェックが入れられており、入力欄Ｔ２に「３」が入力されている場合には、前記現在ページの直後の３ページが前記特定ページに含まれる。これにより、前記現在ページの直後の３ページ分のプレビュー画像Ｇ１がＲＡＭ１６１に保持されるため、例えば図２に示されるプレビュー画面Ｐ１においてページ切替キーＫ３が短時間で３回操作された場合でも、第７ページのプレビュー画像Ｇ１が表示されるまでの待ち時間を減らすことができる。
【００３３】
チェックボックスＣ４にチェックを入れると、先頭ページを前記特定ページに含めることができる。これにより、図２に示されるプレビュー画面Ｐ１においてページ切替キーＫ４が操作されたときの応答性を高めることができる。一方、ページ切替キーＫ４を操作することがほとんどないユーザーであれば、チェックボックスＣ４からチェックを外すことにより、前記ページ切替操作に対する応答性の低下を抑制しつつ、プレビュー画像Ｇ１を記憶するために必要となる記憶容量をさらに小さくすることができる。
【００３４】
図４に示されるプレビュー設定画面Ｐ２には、プレビュー画面Ｐ１にプレビュー画像Ｇ１として一度表示されたページを前記特定ページから除外すべきか否かを選択するためのラジオボタンＲ１，Ｒ２が含まれる。
【００３５】
ラジオボタンＲ２が選択された場合には、プレビュー画面Ｐ１にプレビュー画像Ｇ１として一度表示されたページであるか否かに関わらず、チェックボックスＣ１〜Ｃ４及び入力欄Ｔ１，Ｔ２により指定された条件を満たす前記非表示中ページが、前記特定ページとなる。一方、ラジオボタンＲ１が選択された場合には、プレビュー画面Ｐ１にプレビュー画像Ｇ１として一度表示されたページについては、前記条件を満たす前記非表示中ページであってとしても、前記特定ページから除外される。
【００３６】
例えば、図２に示されるプレビュー画面Ｐ１には、第４ページのプレビュー画像Ｇ１が表示されている。この状態から、例えばページ切替キーＫ３が操作されると、前記現在ページが第５ページに切り替わり、第５ページのプレビュー画像Ｇ１が表示される。ここで、プレビュー設定画面Ｐ２においてラジオボタンＲ２が選択されていた場合には、第１ページ、第４ページ、第６ページ、及び第１０ページが前記特定ページとなり、これらのページのプレビュー画像Ｇ１がＲＡＭ１６１に保持されることになる。一方、プレビュー設定画面Ｐ２においてラジオボタンＲ１が選択されていた場合には、第４ページのプレビュー画像Ｇ１はプレビュー画面Ｐ１に一度表示されているため、第４ページが前記特定ページから除外される。よって、この場合には、第１ページ、第６ページ、及び第１０ページが前記特定ページとなる。その結果、第４ページのプレビュー画像Ｇ１はプレビュー画像削除部１６５によりＲＡＭ１６１から削除されることになる。
【００３７】
一般に、プレビュー画面Ｐ１に一度表示されたプレビュー画像Ｇ１をユーザーが再度確認するために再表示させる可能性は低いと考えられる。よって、プレビュー画面Ｐ１にプレビュー画面Ｇ１として一度表示されたページを前記特定ページから除外することで、前記ページ切替操作に対する応答性の低下を抑制しつつ、プレビュー画像Ｇ１を記憶するために必要となる記憶容量をさらに小さくすることができる。
【００３８】
［プレビュー表示処理］
次に、図５を参照しつつ、制御部１６によって実行されるプレビュー表示処理の手順の一例について説明する。ここで、ステップＳ１，Ｓ２，・・・は、制御部１６により実行される処理手順（ステップ）の番号を表している。なお、前記プレビュー表示処理は、例えば、画像の読み取りの開始を指示する読取開始操作（例えば、スタートキーの操作）に応じて開始される。
【００３９】
＜ステップＳ１＞
まず、ステップＳ１において、制御部１６は、ＡＤＦ１１及び画像読取部１２を制御して、ＡＤＦ１１にセットされた複数ページの原稿の画像を読み取る画像読取処理を実行させる。画像読取部１２により読み取られた前記原稿の画像データは、原稿画像データとしてＲＡＭ１６１に記憶される。
【００４０】
＜ステップＳ２＞
ステップＳ２において、制御部１６は、前記原稿の先頭ページの前記原稿画像データに基づいて、先頭ページのプレビュー画像Ｇ１を生成し、ＲＡＭ１６１に記憶する。
【００４１】
＜ステップＳ３＞
ステップＳ３（本発明の「表示制御ステップ」の一例）において、制御部１６（表示制御部１６２）は、前記ステップＳ２で生成された先頭ページのプレビュー画像Ｇ１を示すプレビュー画面Ｐ１を操作表示部１０に表示する。
【００４２】
＜ステップＳ４＞
ステップＳ４（本発明の「プレビュー画像生成ステップ」の一例）において、制御部１６（プレビュー画像生成部１６４）は、プレビュー画面Ｐ１にプレビュー画像Ｇ１として現在表示されていない非表示中ページのうちの予め定められた特定条件を満たす一又は複数の特定ページのプレビュー画像Ｇ１を作成してＲＡＭ１６１に記憶する。
【００４３】
＜ステップＳ５＞
ステップＳ５において、制御部１６は、前記ページ切替操作（例えば、図２に示されるページ切替キーＫ１〜Ｋ４のいずれかの操作）が行われたか否かを判断する。そして、前記ページ切替操作が行われたと判断されると（Ｓ５：Ｙｅｓ）、処理がステップＳ６に移行する。一方、前記ページ切替操作が行われていないと判断されると（Ｓ５：Ｎｏ）、処理がステップＳ９に移行する。
【００４４】
＜ステップＳ６＞
ステップＳ６（本発明の「ページ切替ステップ」の一例）において、制御部１６（ページ切替部１６３）は、プレビュー画面Ｐ１にプレビュー画像Ｇ１として表示されるページを前記ページ切替操作に応じて切り替えて、プレビュー画面Ｐ１を更新する。
【００４５】
＜ステップＳ７＞
ステップＳ７（本発明の「プレビュー画像削除ステップ」の一例）において、制御部１６（プレビュー画像削除部１６５）は、プレビュー画面Ｐ１にプレビュー画像Ｇ１として現在表示されていない非表示中ページのうちの前記特定ページ以外のページのプレビュー画像Ｇ１をＲＡＭ１６１から削除する。
【００４６】
＜ステップＳ８＞
ステップＳ８（本発明の「プレビュー画像生成ステップ」の一例）において、制御部１６（プレビュー画像生成部１６４）は、前記非表示中ページのうちの前記特定ページのプレビュー画像Ｇ１であって、まだＲＡＭ１６１に保持されていない前記特定ページのプレビュー画像Ｇ１を前記原稿画像データに基づいて作成してＲＡＭ１６１に記憶する。そして、処理がステップＳ９に移行する。
【００４７】
＜ステップＳ９＞
ステップＳ９において、制御部１６は、プレビュー表示を終了すべきであるか否かを判断する。例えば、制御部１６は、前記原稿画像データのファクシミリ送信の開始を指示する送信開始操作が行われた場合に、プレビュー表示を終了すべきであると判断する。そして、プレビュー表示を終了すべきであると判断されると（Ｓ９：Ｙｅｓ）、前記プレビュー表示処理が終了する。一方、プレビュー表示を終了すべきではないと判断されると（Ｓ９：Ｎｏ）、処理が前記ステップＳ５に戻る。
【００４８】
以上のように、本実施形態では、プレビュー画面Ｐ１にプレビュー画像Ｇ１として現在表示されていない非表示中ページのうち、予め定められた特定条件を満たす一又は複数の特定ページ（例えば、前記ページ切替操作に応じて次にプレビュー画面Ｐ１にプレビュー画像Ｇ１として表示され得るページ）のプレビュー画像Ｇ１が生成されてＲＡＭ１６１に記憶される。よって、前記ページ切替操作が行われてから新たなプレビュー画像Ｇ１が表示されるまでの待ち時間が減り、ページ切替操作に対する応答性の低下が抑制される。
【００４９】
さらに、本実施形態では、前記非表示中ページのうち、前記特定ページ以外のページのプレビュー画像Ｇ１についてはＲＡＭ１６１から削除される。よって、プレビュー画像Ｇ１を記憶するために必要となる記憶容量を小さくすることが可能である。
【００５０】
［変形例］
なお、本実施形態では、プレビュー画面Ｐ１に４つのページ切替キーＫ１〜Ｋ４が含まれており、前記現在ページを先頭ページ、１つ前のページ、次のページ、又は最終ページのいずれかに切り替えることが可能であるが、本発明はこれに限定されない。他の実施形態では、例えば、図６に示されるように、プレビュー画面Ｐ１に２つのページ切替キーＫ２，Ｋ３のみが含まれており、前記現在ページを１つ前のページ又は次のページのいずれかのみに切り替えることが可能であってもよい。この場合、前記特定ページは、例えば、前記現在ページの１つ前のページと前記現在ページの次のページとの２ページのみであってもよい。
【００５１】
また、本実施形態では、プレビュー画面Ｐ１において、いずれか１ページのプレビュー画像Ｇ１が表示されるが、本発明はこれに限定されない。他の実施形態では、プレビュー画面Ｐ１において複数ページのプレビュー画像Ｇ１が同時に表示されてもよい。
【００５２】
また、本実施形態では、前記原稿画像データがＲＡＭ１６１に記憶されるが、本発明はこれに限定されない。他の実施形態では、前記原稿画像データがＲＡＭ１６１以外の任意の記憶部（例えば、ハードディスク、ＵＳＢメモリーなど）に記憶されてもよい。
【００５３】
また、本実施形態では、プレビュー画像Ｇ１がＲＡＭ１６１に記憶されるが、本発明はこれに限定されない。他の実施形態では、プレビュー画像Ｇ１がＲＡＭ１６１以外の任意の記憶部（例えば、ハードディスク、ＵＳＢメモリーなど）に記憶されてもよい。
【００５４】
また、本実施形態では、画像読取部１２により読み取られた画像のプレビュー画像Ｇ１が表示されるが、本発明はこれに限定されない。例えば、外部のファクシミリ装置から受信した画像のプレビュー画像Ｇ１を表示する場合にも本発明を適用することができる。また、例えば、画像処理装置１に装着されたＵＳＢメモリに記憶されている画像のプレビュー画像Ｇ１を表示する場合にも本発明を適用することができる。
【符号の説明】
【００５５】
１  画像処理装置
１０  操作表示部
１１  ＡＤＦ
１２  画像読取部
１６  制御部
１６１  ＲＡＭ
１６２  表示制御部
１６３  ページ切替部
１６４  プレビュー画像生成部
１６５  プレビュー画像削除部
１６６  プレビュー設定部
【図１】
2018067841.tif 000003
【図２】
2018067841.tif 000004
【図３】
2018067841.tif 000005
【図４】
2018067841.tif 000006
【図５】
2018067841.tif 000007
【図６】
2018067841.tif 000008